(57)【要約】【課題】容器を動かすことによって容器内の液体中の装飾片が浮遊する状態を視覚的に楽しむことができ、しかもスノードームを構成するドーム型容器の内部に収容した液体が拡大レンズのように作用することによって、例えば月ごとに交換可能に設けたカレンダーを拡大した状態に見ることができるスノードーム型カレンダーを提供する。【解決手段】上部を半球形に形成したドーム型の透明容器に透明な液体を充填し、その液体の内部に多数の微小な装飾片を収容すると共に、透明容器の底部に設けた開口部から上方へ向けて該透明容器内の液体から隔絶された状態で所定幅のスリットを形成する枠部材を設け、該スリットにカレンダー等の表示片を交換可能に挿入すると共に、該透明容器の底部を受ける受台によってスリットの開口部を閉じるようにした。【選択図】図１
0003171324.tif 000002
【実用新案登録請求の範囲】
【請求項１】
上部を半球形に形成したドーム型の透明容器に透明な液体を充填し、その液体の内部に多数の微小な装飾片を収容すると共に、
透明容器の底部に設けた開口部から上方へ向けて該透明容器内の液体から隔絶された状態で所定幅のスリットを形成する枠部材を設け、
該スリットにカレンダー等の表示片を交換可能に挿入すると共に、
該透明容器の底部を受ける受台によってスリットの開口部を閉じるようにしたことを特徴とするスノードーム型カレンダー。
【請求項２】
上部を半球形に形成したドーム型の透明容器の底面を平状に形成すると共に、該平状の底面の中央に所定幅の開口部を形成し、
該開口部から透明容器の上方へ向けて形成された所定幅のスリットを形成する枠部材の外周端部と透明容器の内周壁面との間に隙間を形成し、
該隙間を通過して透明容器内の微小な装飾片がスリットで隔たった両側の透明容器内の空間を移動することができるようにしたことを特徴とする請求項１記載のスノードーム型カレンダー。
【考案の詳細な説明】
【技術分野】
【０００１】
本考案は、置物や玩具として用いるスノードームにカレンダーを設けたスノードーム型カレンダーに関する。なお、スノードーム型カレンダーは、ウォータードームカレンダーと称して使用されることもある。
【背景技術】
【０００２】
従来から、アクリル樹脂等によって球形やドーム型に形成された透明容器の内部に透明な液体を充填し、その中に庭園や建物等の模造的な展示物を設置すると共に、その液体の内部に微小な装飾片を浮遊させるようにしたスノードームが知られている。
【０００３】
このスノードームは、その本体を構成する容器を動かすことによって、容器内の液体中に収容した微小な装飾片が、雪が舞うように移動することから名づけられたものであり、英語では、スノーグローブ（Snow globe）と称されている。
【０００４】
ところで、このスノードームを利用した物品として、特許文献１に記載のスノードームは、ドーム部の内部にプロペラを設け、そのプロペラを駆動装置で撹拌することによって、内部に収容したパウダーと称する微小な装飾片が揺れ動くようにしたものである。
【先行技術文献】
【特許文献】
【０００５】
【特許文献１】実用新案登録第３１６７４７３号公報
【考案の概要】
【考案が解決しようとする課題】
【０００６】
本考案は、上記の特許文献１のように、スノードームを構成するドーム部の内部の装飾片を動力で撹拌することによって揺動させるのではなく、従来のスノードームと同様に、内部の装飾片は容器を動かさない限り静止しているが、容器を動かすことによって装飾片が揺動し、そのような装飾片が静止状態又は揺動状態の液体中にカレンダーを表示するようにしたスノードーム型カレンダーを開発したものである。
【０００７】
即ち、本考案は、容器を動かすことによって容器内の液体中の装飾片が浮遊する状態を視覚的に楽しむことができ、しかもスノードームを構成するドーム型容器の内部に収容した液体が拡大レンズのように作用することによって、例えば月ごとに交換可能に設けたカレンダーを拡大した状態に見ることができるスノードーム型カレンダーを提供することを目的とする。
【課題を解決するための手段】
【０００８】
上記の問題を解決するために、本考案の請求項１のスノードーム型カレンダーは、上部を半球形に形成したドーム型の透明容器に透明な液体を充填し、その液体の内部に多数の微小な装飾片を収容すると共に、透明容器の底部に設けた開口部から上方へ向けて該透明容器内の液体から隔絶された状態で所定幅のスリットを形成する枠部材を設け、該スリットにカレンダー等の表示片を交換可能に挿入すると共に、該透明容器の底部を受ける受台によってスリットの開口部を閉じるようにしたことを特徴とする。
【０００９】
また、本考案の請求項２のスノードーム型カレンダーは、請求項１において、上部を半球形に形成したドーム型の透明容器の底面を平状に形成すると共に、該平状の底面の中央に所定幅の開口部を形成し、該開口部から透明容器の上方へ向けて形成された所定幅のスリットを形成する枠部材の外周端部と透明容器の内周壁面との間に隙間を形成し、該隙間を通過して透明容器内の微小な装飾片がスリットで隔たった両側の透明容器内の空間を移動することができるようにしたことを特徴とする。
【考案の効果】
【００１０】
本考案のスノードーム型カレンダーは、上記のように構成されているため、透明容器の底部に設けた開口部からスリット内にカレンダー等の表示片を挿入すると、透明容器及び透明な液体を透して、カレンダー等の表示片を外方から見ることができる。
【００１１】
また、本考案のスノードーム型カレンダーにおいて、透明容器の形状は、上部を半球形に形成してあり、この透明容器の内部に透明の液体を充填しているため、拡大レンズを通して見たような拡大レンズ効果を発揮することができる。このため、スリットに挿入したカレンダー等の表示片を外方から拡大した状態で見ることが可能となる。
【００１２】
しかも、本考案のスノードーム型カレンダーにおいて、透明容器を静的に設置している状態では、液体の内部に収容されている微小な装飾片もまた動かずに静止している状況にあるが、透明容器を振るなどして動かすことにより、液体内部の微小な装飾片が揺動し、美しい視覚効果を発揮することが可能となる。
【００１３】
さらに、本考案においては、透明容器の底面に開口部を形成することにより設けられたスリットを形成する枠部材の外周端部と透明容器の内周壁面との間に隙間が形成されているため、透明容器を振ったとき、隙間を通して容器内の微小な装飾片がスリットで隔たった両側の容器内空間を移動することが可能となる。このため、透明容器内において、微小な装飾片が大きく動くこととなり、美しい視覚効果を得ることが可能となる。
【図面の簡単な説明】
【００１４】
【図１】本考案による実施例のスノードーム型カレンダーの斜視図である。
【図２】本考案による実施例のスノードーム型カレンダーの透明容器の底面図である。
【図３】本考案による実施例のスノードーム型カレンダーの透明容器とカレンダーと受台とを分解した状態の斜視図である。
【図４】（ａ）は本考案による実施例のスノードーム型カレンダーの透明容器と受台とを分離した状態を示す断面図であり、（ｂ）は透明容器に受台を取り付けた状態を示す断面図である。
【図５】（１）〜（１２）は、本考案による実施例のスノードーム型カレンダーに使用する表示片の一例である１２ケ月分の各カレンダーの正面図である。
【考案を実施するための形態】
【００１５】
以下、本考案の実施例について図面を参照しながら説明する。
【実施例】
【００１６】
本考案による実施例のスノードーム型カレンダー１は、図１に示すように、上部を半球形に形成したドーム型の透明容器２に透明な液体３を充填し、その液体３の内部に多数の微小な装飾片４を収容すると共に、透明容器２内のスリット５にカレンダー等の表示片６を交換可能に挿入し、透明容器２の底部２ａを受ける受台７によってスリット５の開口部８（図２、図４（ａ）、（ｂ）参照）を閉じるように構成したものである。
【００１７】
このような本実施例のスノードーム型カレンダー１について詳細に述べると、図３に示すように、このスノードーム型カレンダー１は、上部を半球形に形成したドーム型の透明容器２と、カレンダー等の表示片６と、透明容器２の底部２ａを受ける受台７とに分解可能である。
【００１８】
上記の透明容器２は、アクリル樹脂等の透明合成樹脂を用いて、上部を半球形に形成したドーム型の透明容器２の底部２ａを平状に形成すると共に、図２に示すように、透明容器２の平状の底部２ａの略中央に所定幅の長方形状の開口部８を形成している。
【００１９】
また、透明容器２の底部２ａには、図２又は図４（ａ）に示すように、透明容器２の内部空間に通じる注入口９を形成してあり、この注入口９から透明容器２の内部空間に透明の水又は油性の液体３を注入することができ、注入口９を栓部材１０で閉じることによって密閉された透明容器２の内部に透明の液体３を充填した構成としている。
【００２０】
また、上記の透明容器２の内部には、多数の微小な装飾片４が収容され、この透明容器２内の液体３の中を揺動することが可能とされている。夫々の微小な装飾片４は、金銀等の反射性を有し、且つ耐水性を有する薄厚の合成樹脂片や、その他の材質として、液体３中で浮遊し易い材質のものから形成されている。この微小な装飾片４は、栓部材１０を開けた注入口９から透明容器２の内部に充填することが可能である。
【００２１】
また、図１又は図３に示すように、透明容器２の内部には人形等の展示物１１が設けられている。このように、透明容器２の内部に人形等の展示物１１を設けるには、透明容器２の底部２ａとドーム部２ｂとを分離し、予め底部２ａの上面に人形等の展示物１１の下部を接着剤等で接着しておき、その後に、底部２ａの外周にドーム部２ｂを接着剤等で結合して密閉状態にすることにより取り付けることが可能である。
【００２２】
なお、上記のように透明容器２の底部２ａに人形等の展示物１１を設置するとき、他の人形等の展示物、又は任意の模型や装飾品等を固定することによって、透明容器２の内部空間を種々の意匠で装飾することが可能となる。また、このように透明容器２の底部２ａとドーム部２ｂとを分離した際に、多数の微小な装飾片４を透明容器２内に収容するようにしてもよい。
【００２３】
さらに、図４（ａ）に示すように、透明容器２の底部２ａに設けた開口部８から上方へ向けて形成された所定幅のスリット５は、該スリット５を枠部材５ａで形成することによって透明容器２内の液体３から隔絶された状態に構成することができる。このような構成により、透明容器２の底部２ａの開口部８からスリット５内に挿入したカレンダー等の表示片６を液体３に濡れない状態で表示することが可能となる。
【００２４】
また、図３に示すように、上記の透明容器２は上部が半球形に形成されているため、透明容器２の外周は円形に形成されたものとなる。従って、この透明容器２の底部２ａを受ける受台７もまた円盤のような形状に形成され、その外周に上方へ突出した円形枠部材７ａを形成することにより、その内周側に透明容器２の底部２ａを嵌合可能にすることが可能となる。
【００２５】
なお、図４（ａ）、（ｂ）に示すように、受台７の所定箇所には、受台７の底面７ｂから部分的に下方へ凹んだ凹部７ｃが形成され、この凹部７ｃに上記の透明容器２の底部２ａに設けられた注入口９を閉じる栓部材１０を収納することが可能となる。
【００２６】
このような構成により、図４（ａ）、（ｂ）に示すように、受台７の円形枠部材７ａの内部に透明容器２の底部２ａを嵌合することができる。なお、透明容器２の底部２ａを受台７の円形枠部材７ａの内部に密着した状態で嵌合することによって、透明容器２を受台７に固定状態に結合することができ、透明容器２を受台７から引き抜くことによって離脱することも可能である。
【００２７】
なお、図４（ｂ）に示すように、透明容器２を受台７に固定したとき、透明容器２のスリット５に挿入した多数枚のカレンダー等の表示片６を受台７の底面７ｂで受け止めた状態で開口部８を閉塞することが可能となる。
【００２８】
さらに、上記の構成において、図４（ａ）、(ｂ)に示すように、透明容器２の内部にスリット５を形成した枠部材５ａの外周端部と透明容器２の内周壁面との間には隙間１２が形成されている。本実施例では、図１に示すように、スリット５を形成する枠部材５ａもまた、透明容器２の上部の形状と同様に、上部が半円形に形成され、この半円形の枠部材５ａの外周端部と容器の内周壁面との間に隙間１２を形成してあり、この隙間１２を通して透明容器２内の微小な装飾片４がスリット５で隔たった透明容器２内の両側の空間を移動することが可能となる。
【００２９】
さらに、図３に示すように、透明容器２の底部２ａの開口部８からスリット５に挿入する表示片６として、本実施例では、カレンダーの１２ケ月分を一枚ずつ表示した１２枚のカレンダー紙片１３が形成されている。このカレンダー紙片１３は、図５（１）〜（１２）に示すように、上記のスリット５の形状に合せて上部が半円形に形成され、内部に各月のカレンダー１３ａが表示されると共に、カレンダー１３ａの周囲には、該当する月に応じたイラスト１３ｂが表示されている。
【００３０】
なお、上記のカレンダー等の表示片６は、必ずしも１２ケ月分の各月を表示する１２枚で形成する必要はなく、１年分又は数ケ月を一枚に表示したものとしても良い。また、この表示片６は必ずしもカレンダーに限定されるものではなく、他の写真等をスリット５に挿入して展示するようにしてもよい。
【００３１】
本実施例において、上記のように、カレンダー等の表示片６を挿入するスリット５は、透明容器２内の液体３と隔絶された状態にあるため、スリット５に挿入した表示片６を液体３に触れずに展示することができる。従って、例えば、透明容器２のスリット５に挿入した記念写真等でも液体３に濡れずに安心して表示することができ、透明容器２を動かすことによって液体３内を揺動する微小な装飾片４による装飾効果を楽しむことが可能となる。
【産業上の利用可能性】
【００３２】
本考案のスノードーム型カレンダーは、容器を動かすことによって容器内の液体中の装飾片が浮遊する状態を視覚的に楽しむことができ、しかもスノードームを構成するドーム型容器の内部に収容した液体が拡大レンズのように作用することによって、例えば月ごとに交換可能に設けたカレンダーを拡大した状態に見ることができるスノードーム型カレンダーとして利用可能である。
【符号の説明】
【００３３】
１  スノードーム型カレンダー
２  透明容器
２ａ  底部
２ｂ  ドーム部
３  液体
４  装飾片
５  スリット
５ａ  枠部材
６  表示片
７  受台
７ａ  円形枠部材
７ｂ  底面
７ｃ  凹部
８  開口部
９  注入口
１０  栓部材
１１  人形等の展示物
１２  隙間
１３  カレンダー紙片
１３ａ  カレンダー
１３ｂ  イラスト
【図１】
0003171324.tif 000003
【図２】
0003171324.tif 000004
【図３】
0003171324.tif 000005
【図４】
0003171324.tif 000006
【図５】
0003171324.tif 000007